(57)【要約】　　　（修正有）【課題】　　画素が有するトランジスタのバラツキの影響が低減され、発光素子を、劣化等による電流特性の変化によらず一定の輝度で発光させることが可能な表示装置を提供する。【解決手段】電流源回路を複数のトランジスタにより構成し、電流源回路への設定動作を行うときには複数のトランジスタを並列接続状態とし、発光素子を発光させるときには複数のトランジスタを直列接続状態とする。発光素子を劣化等一定の輝度で発光させることができ、電流源回路を設定するための電流値が発光素子を発光させるときの駆動電流より大きくできるため、設定動作速度を向上させることができる。 【選択図】　図１
2004110015.tif 000002
【特許請求の範囲】
【請求項１】
複数のトランジスタと
前記複数のトランジスタの接続を直列又は並列に切り替える手段と、
前記複数のトランジスタを介して入力される第１の電流を電圧に変換する手段と、
前記変換された電圧を保持する手段と、
前記保持された電圧を第２の電流に変換する手段と、
前記変換された第２の電流を駆動対象に供給する手段と、を有することを特徴とする電流源回路。
【請求項２】
複数のトランジスタと
前記複数のトランジスタの接続を直列又は並列に切り替える手段と、
前記複数のトランジスタを介して入力される第１の電流を電圧に変換する手段と、
前記変換された電圧を保持する手段と、
前記保持された電圧を第２の電流に変換する手段と、
前記変換された第２の電流を駆動対象に供給する手段と、を有する電流源回路であって、
前記駆動対象に電流を供給するときには前記複数のトランジスタの接続を直列とし、
前記第１の電流を電圧に変換するときには前記複数のトランジスタの接続を並列とすることを特徴とする電流源回路。
【請求項３】
第１トランジスタ及び第２トランジスタと、
前記第１トランジスタ及び第２トランジスタのゲート電極に接続される容量素子と、
前記容量素子の一方に接続される電源線と、
前記容量素子の他方に接続される電流線と、
前記容量素子に保持される電荷を電流として駆動対象に供給する手段と、を有することを特徴とする電流源回路。
【請求項４】
請求項３又は４において、前記第１トランジスタ及び第２トランジスタはｐチャネル型の薄膜トランジスタからなることを特徴とする電流源回路。
【請求項５】
請求項３又は４において、前記第１トランジスタ及び第２トランジスタは単結晶、ＳＯＩ又は有機トランジスタからなることを特徴とする電流源回路。
【請求項６】
第１トランジスタ、第２トランジスタ及び第３トランジスタと、
前記第１トランジスタ、第２トランジスタ及び第３トランジスタのゲート電極に接続される容量素子と、
前記容量素子の一方に接続される電源線と、
前記容量素子の他方に接続される電流線と、
前記容量素子に保持される電荷を電流として駆動対象に供給する手段と、を有することを特徴とする電流源回路。
【請求項７】
請求項６又は７において、前記第１トランジスタ、第２トランジスタ及び第３トランジスタはｐチャネル型の薄膜トランジスタからなることを特徴とする電流源回路。
【請求項８】
請求項６又は７において、前記第１トランジスタ、第２トランジスタ及び第３トランジスタは単結晶、ＳＯＩ又は有機トランジスタからなることを特徴とする電流源回路。
【請求項９】
発光素子と、発光素子へ電流を供給する電流源回路を有する表示装置であって、
前記電流源回路は、
複数のトランジスタと
前記複数のトランジスタの接続を直列又は並列に切り替える手段と、
前記複数のトランジスタを介して入力される第１の電流を電圧に変換する手段と、
前記変換された電圧を保持する手段と、
前記保持された電圧を第２の電流に変換する手段と、
前記変換された第２の電流を発光素子に供給する手段と、を有することを特徴とする表示装置。
【請求項１０】
走査線と、
デジタル信号が入力される信号線と、
前記走査線及び前記信号線の交差位置に設けられた発光素子と、
前記発光素子へ電流を供給する電流源回路を有する表示装置であって、
前記電流源回路は、
複数のトランジスタと
前記複数のトランジスタの接続を直列又は並列に切り替える手段と、
前記複数のトランジスタを介して入力される第１の電流を電圧に変換する手段と、
前記変換された電圧を保持する手段と、
前記保持された電圧を第２の電流に変換する手段と、
前記変換された第２の電流を発光素子に供給する手段と、を有することを特徴とする表示装置。
【請求項１１】
第１トランジスタ及び第２トランジスタと、前記第１トランジスタ及び第２トランジスタのゲート電極に接続される容量素子と、前記容量素子に接続される電流線及び電源線と、を有する電流源回路の駆動方法であって、
前記電源線から供給される電流が並列接続状態にある第１トランジスタ及び第２トランジスタを介して前記電源線へ流れ、
前記電源線から直列接続状態にある第１トランジスタ及び第２トランジスタを介して駆動対象へ電流を供給することを特徴とする電流源回路の駆動方法。
【請求項１２】
第１トランジスタ及び第２トランジスタと、前記第１トランジスタ及び第２トランジスタのゲート電極に接続される容量素子と、前記容量素子に接続される電流線及び電源線と、を有する電流源回路の駆動方法であって、
前記第１トランジスタ及び第２トランジスタへ設定動作を行うときには前記第１トランジスタ及び第２トランジスタを並列接続状態とし、
前記第１トランジスタ及び第２トランジスタから駆動対象へ電流を供給する時には前記第１トランジスタ及び第２トランジスタを直列接続状態とすることを特徴とする電流源回路の駆動方法。
【請求項１３】
第１トランジスタ及び第２トランジスタと、前記第１トランジスタ及び第２トランジスタのゲート電極に接続される容量素子と、前記容量素子に接続される電流線及び電源線と、を有する電流源回路の駆動方法であって、
前記容量素子に電流が流れ、電荷が保持されることにより、前記容量素子は所定の電圧を流す機能を有し、
前記所定の電圧に基づく電流を並列接続接続状態にある前記第１トランジスタ及び第２トランジスタに供給することにより、前記トランジスタは所定の電流を流す機能を有し、
前記所定の電流を直列接続状態にある前記第１トランジスタ及び第２トランジスタを介して駆動対象へ供給することを特徴とする電流源回路の駆動方法。
【請求項１４】
第１トランジスタ及び第２トランジスタと、前記第１トランジスタ及び第２トランジスタのゲート電極に接続される容量素子と、前記容量素子に接続される電流線及び電源線と、を有する電流源回路と、前記第２のトランジスタの一方の電極に接続される発光素子とを有する表示装置の駆動方法であって、
前記容量素子に電流が流れ、電荷が保持されることにより、前記容量素子は所定の電圧を流す機能を有し、
前記所定の電圧に基づく電流を並列接続状態にある前記第１トランジスタ及び第２トランジスタに供給することにより、前記トランジスタは所定の電流を流す機能を有し、
前記所定の電流を直列接続状態にある前記第１トランジスタ及び第２トランジスタを介して発光素子へ供給することを特徴とする表示装置の駆動方法。
【請求項１５】
複数の走査線と、
デジタル信号が入力される複数の信号線と、
前記走査線及び前記信号線のそれぞれの交差位置に設けられた発光素子と、
前記発光素子へ電流を供給する電流源回路を有する表示装置の駆動方法であって、
前記信号線へ入力されるビデオ信号の同期タイミングに対応する単位フレーム期間はｍ（ｍは２以上の自然数）個のサブフレーム期間ＳＦ１、ＳＦ２、…、ＳＦｍを有し、前記ｍ個のサブフレーム期間ＳＦ１、ＳＦ２、…ＳＦｍの少なくとも一つは消去期間を有し、
前記消去期間において前記電流源回路へ設定動作を行うことを特徴とする表示装置の駆動方法。
【発明の詳細な説明】
【技術分野】
【０００１】
　本発明は、画素毎に発光素子及びトランジスタが設けられ、各トランジスタにより画素の発光を制御する電流源回路、それらを有するアクティブマトリクス型の表示装置並びにその駆動方法に関する。より詳しくは、発光素子としてEL（エレクトロルミネッセンス）素子を用いるアクティブマトリクス型EL表示装置に関する。
【背景技術】
【０００２】
　　近年、画素毎に発光素子及び発光素子の発光を制御するトランジスタを配置したアクティブマトリクス型の表示装置が提案されている。このような表示装置は、応答性に優れ、低電圧で動作し、また視野角が広い等の利点を有するため、次世代のフラットパネルディスプレイとして注目されている。
【０００３】
　ところで、発光素子を用いた発光装置に多階調の画像を表示するときの駆動方法としては、アナログ階調方式（アナログ駆動方式）とデジタル階調方式（デジタル駆動方式）が挙げられる。両方式の相違点は、発光素子の発光、非発光のそれぞれの状態において該発光素子を制御する方法にある。前者のアナログ階調方式は、発光素子に流れるビデオ信号の電流をアナログ的に制御して階調を得るという方式である。また後者のデジタル階調方式は、発光素子がオン状態（輝度がほぼ１００％である状態）と、オフ状態（輝度がほぼ０％である状態）の二つの状態のみによって駆動するという方式である。
【０００４】
　　また発光素子を用いた画素に入力するビデオ信号（映像信号）の種類によって大まかに二つに分類することができ、そのうちの一つは、信号電流で行う手法（電流入力方式）であり、もう一つは電圧で制御する手法（電圧入力方式）とがある。
【０００５】
　ここで表示装置において、電流入力方式を適用した画素の回路構成の一例とその駆動方法について、図１８を用いて簡単に説明する。図１８に示した画素は、信号線１８０１、第１走査線から第３走査線１８０２〜１８０４、電源線１８０５、トランジスタ１８０６〜１８０９、容量素子１８１０、発光素子１８１１を有し、電流源回路１８１２は、信号線に設けられている。
【０００６】
　トランジスタ１８０６のゲート電極は、第１の走査線１８０２に接続され、第１の電極は信号線１８０１に接続され、第２の電極は、トランジスタ１８０７の第１の電極、トランジスタ１８０８の第１の電極、及びトランジスタ１８０９の第１の電極に接続されている。トランジスタ１８０７のゲート電極は、第２の走査線１８０３に接続され、第２の電極はトランジスタ１８０８のゲート電極に接続されている。トランジスタ１８０８の第２の電極は、電源線１８０５に接続されている。トランジスタ１８０９のゲート電極は、第３の走査線１８０４に接続され、第２の電極は発光素子１８１１の一方の電極に接続されている。容量素子１８１０はトランジスタ１８０８のゲート電極と第２の電極との間に接続され、トランジスタ１８０８のゲート・ソース間電圧を保持する。電源線１８０５および発光素子１８１１の陰極には、それぞれ所定の電位が入力され、互いに電位差を有する。
【０００７】
　次にビデオ信号の書き込みから発光までの動作について説明する。まず、第１の走査線１８０２および第２の走査線１８０３にパルス信号が入力され、トランジスタ１８０６、１８０７がオンとなる。このとき、信号線１８０１を流れる信号電流（ビデオ信号）をＩdataとし、Ｉdataは電流源回路１８１２から供給される。
【０００８】
　容量素子１８１０においては、その両電極の電位差、つまりトランジスタ１８０８のゲート・ソース間電圧が所望の電圧、つまりトランジスタ１８０８が電流Ｉdataを流すことが出来るだけの電圧(ＶGS)になるまで電荷が蓄積される。やがて電荷の蓄積が終了すると、トランジスタ１８０８には、信号電流Ｉdataが流れ続ける。以上で信号の設定動作が完了する。最後に第１の走査線１８０２及び第２の走査線１８０３の選択が終了し、トランジスタ１８０６、１８０７がオフとなる。
【０００９】
　続いて、発光動作について説明する。第３の走査線１８０４にパルス信号が入力され、トランジスタ１８０９がオンとなる。容量素子１８１０には、先ほど書き込まれたＶGSが保持されているため、トランジスタ１８０８はオフとなっており、電源線１８０５から、電流が流れ、発光素子１８１１が発光する。よってトランジスタ１８０８の特性がばらついていても、その影響を除去することができる。
【００１０】
　上述したように電流入力方式の画素の回路構成は他にも、特許文献１及び２に報告されている。
【特許文献１】米国特許第6,229,506号明細書
【特許文献２】特開2001-147659号公報
【発明の開示】
【発明が解決しようとする課題】
【００１１】
　このような電流入力方式の画素の回路構成では、画素に書き込む信号電流（ビデオ信号）の電流値と発光素子を発光させるときの駆動電流値とが同程度となってしまう。そして、発光素子を発光させるときの駆動電流は非常に小さな電流値であるため、信号電流（ビデオ信号）の電流値が非常に小さな値となってしまう。しかし、表示装置の画素部に設けられた信号線等に多量の寄生容量（配線交差部容量等）や配線抵抗が生じてしまうため、信号電流（ビデオ信号）はある程度大きな電流値としなければ、正確な設定動作に時間がかかってしまう。以上のことから、画素に書き込む信号電流（ビデオ信号）の電流値を正確に設定する動作（設定動作）が難しかった。
【００１２】
　また特にアナログ階調方式で表示を行う場合、各画素で表示を行う毎に、階調に応じた大きさの信号電流を画素へ書き込む必要があり、信号電流に応じた電荷を各画素の容量部（保持容量）に保持し直す必要がある。そのため画素に供給される信号電流が小さな場合、つまり輝度が小さい場合は、正確に設定動作を行うことが困難となり、更に信号電流の書き込みが行われる画素以外の、同じソース信号線に接続された複数の画素による漏れ電流等のノイズの影響が大きく、正確な輝度で画素を発光させることができないことがあった。
【００１３】
　従って、ビデオ信号の電流値と駆動用の電流値とを、同一となってしまうという点は、厳しい制約となってしまった。
【００１４】
　さらに、トランジスタ１８０８の電気的特性のバラツキの影響が生じてしまった。その結果、発光素子に流れる電流がバラツキ、表示ムラとして現れてしまった。
【００１５】
　一方、電圧入力方式でトランジスタをスイッチとしてデジタル的に制御する（デジタル階調方式）場合、発光状態となっている発光素子には一定の電圧が印加される。しかしながら、発光素子へ印加される電圧と流れる電流値との関係は、周囲の温度や発光素子の劣化等の影響により変化してしまう。そのため、発光素子の両電極間に一定の電圧を印加している場合であっても、実際に流れる電流が変化してしまった。その結果、画面の焼き付き等が生じてしまった。
【００１６】
　そこで本発明は、画素が有するトランジスタのバラツキの影響が低減される表示装置を提供することを課題とする。更に本発明は、発光素子を、劣化等による電流特性の変化によらず一定の輝度で発光させることが可能な表示装置を提供することを課題とする。
【課題を解決するための手段】
【００１７】
　上記課題を解決するために、本発明は、表示装置において、各画素は電流源回路、ビデオ制御用スイッチ、及び発光素子を有することを特徴としている。ビデオ制御用スイッチは、ビデオ信号によりオン・オフが制御される。それにより、電流源回路から流れる電流が発光素子へ流れるか否かが制御される。その結果、階調が表現され、画像として表示される。なお、発光素子と電流源回路とビデオ制御用スイッチとは、電源基準線と電源線の間に直列に接続されていればよく、それらの接続位置は適宜設定すればよい。そして、電流源回路が一定の電流を出力できるように、発光素子に接続されるトランジスタにＩdataが流れるようにする。これを設定動作と呼ぶ。そして、電流源回路を複数のトランジスタにより構成し、電流源回路への設定動作を行うときには複数のトランジスタを並列接続状態とし、発光素子を発光させるときには複数のトランジスタを直列接続状態とすることを特徴としている。
【００１８】
　なお、発光素子とは流れる電流により輝度が変化する電気光学素子、具体的には第１の電極及び第２の電極間に発光層を含む素子を指す。
【００１９】
　このように、接続状態を切り替えることにより、電流源回路に流す電流値を大きくすることができる。その結果、より正確、且つ短時間で設定動作を行うことができる。
【００２０】
　上記本発明の構成を、図１を用いて具体的に説明する。図１（Ａ）に示す画素は、信号線１０１、第１走査線１０２、電源線１０３、第１スイッチ１１１、第２スイッチ１１２、第１スイッチ１１１に接続されたメモリ１１３、第２スイッチ１１２に接続された電流源回路１１４、第２スイッチ１１２に接続された発光素子１１５、及び電源基準線１１６を有している。第１スイッチ１１１、第２スイッチ１１２には、トランジスタ等のスイッチング機能を有する半導体素子を単数又は複数個用いることができる。なお、スイッチング機能を有するトランジスタは、ｎ型又はｐ型のどちらを用いても構わない。
【００２１】
　第１スイッチ１１１は、第１走査線１０２によりオン・オフが制御され、メモリ１１３は第１のスイッチ１１１がオンとなるとき信号線１０１からビデオ信号が入力され、それを保持する。そして、ビデオ信号に基づいて第２スイッチ１１２を制御している。そして第２スイッチ１１２がオンとなるとき、電流源回路１１４より信号電流が発光素子１１５へ供給される。
【００２２】
　図１（Ｂ）には電流源回路１１４の構成を示す。電流源回路１１４は、第１スイッチ１２０、第２スイッチ１２１、駆動用素子１２２を有している。第１スイッチ１２０、第２スイッチ１２２には、トランジスタ等のスイッチング機能を有する半導体素子を単数又は複数個用いることができる。駆動用素子１２２にもトランジスタ等の半導体素子を複数個用いることができる。第１スイッチ１２０及び第２スイッチ１２２は、第２走査線１２３によりオン・オフが制御される。
【００２３】
　第１スイッチ１２０及び第２スイッチ１２１を、第２走査線１２３からの信号によりオン・オフを制御することが、駆動用素子１２２の複数のトランジスタを並列接続状態と直列接続状態とを切り替える手段となる。なお、第１スイッチ１２０及び第２スイッチ１２１を構成するトランジスタは、ｎ型又はｐ型のどちらを用いても構わない。
【００２４】
　そして信号電流の設定動作を行うときには駆動用素子１２２のトランジスタを並列接続状態とし、発光素子を発光させるときには駆動用素子１２２のトランジスタを直列接続状態とする。
【００２５】
　本発明により、発光素子を劣化等による電流特性の変化によらず一定の輝度で発光させることができる。更に本発明により、電流源回路を設定するための電流値を、発光素子を発光させるときの駆動電流よりも大きくすることができるため、設定動作速度を向上させることができる。
【００２６】
　電流源回路は、一定の電流を出力するため、トランジスタのバラツキの影響を低減することができる。ビデオ信号は、電流源回路を設定するための電流とは、別の信号であるため、各々を独立して制御できる。つまり電流源回路は、一定の電流を流すだけであり、ビデオ信号により電流値は変化しない。従って設定動作を任意のときに、任意の周期で行うことができる。
【００２７】
　以上のような本発明により、正確な階調が表現可能であり、表示ムラの低減された表示装置を提供することができる。
【発明の効果】
【００２８】
　本発明では、電流源回路の駆動用素子を複数のトランジスタで構成し、電流を書き込む場合と、発光素子を発光させる場合とで、複数のトランジスタの接続を並列と直列とに切り替えて用いることにより、設定時の電流値Ｉwと、発光素子へ供給される発光時の電流値ＩEとを、任意に設定することができる。そのため、非常に小さなＩEであっても、設定動作を確実に行うことができ、更には設定時間を短時間とすることができる。また本発明により、信号電流を正確に設定することができるため、発光素子の輝度バラツキを低減することが可能となる。
【発明を実施するための最良の形態】
【００２９】
　以下に、本発明の実施の形態を図面に基づいて説明する。なお、実施の形態を説明するための全図において、同一部分又は同様な機能を有する部分には同一の符号を付し、その繰り返しの説明は省略する。
【００３０】
　また以下の実施の形態において、トランジスタはゲート、ソース、ドレインの３端子を有するが、ソース電極、ドレイン電極に関しては、トランジスタの構造上、明確に区別が出来ない。よって、素子間の接続について説明する際は、ソース電極、ドレイン電極のうち一方を第１の電極、他方を第２の電極と表記する。
　（実施の形態１）
【００３１】
　本実施の形態では、電流源回路の具体的な構成について説明する。
【００３２】
　図２２（Ａ）〜（Ｃ）には、電流源回路の駆動用素子が二つのトランジスタを備える場合の回路構成を示す。
【００３３】
　図２２（Ａ）〜（Ｃ）に示す電流源回路は、第１トランジスタ２１、第２トランジスタ２２、容量素子２３、発光素子２４、電流線２５、及び電源線２６を有している。また第１トランジスタ及び第２トランジスタのゲート容量が大きく、各トランジスタからのリーク電流が許容範囲である場合、容量素子は設ける必要はない。なお、第１トランジスタ及び第２トランジスタを電流源トランジスタと表記し、極性がｐチャネル型である場合で説明する。
【００３４】
　そして、図２２（Ａ）には設定動作を行うときの、電流源回路及び流れる電流経路を示す。また、図２２（Ｂ）、（Ｃ）には発光を行うときの、電流源回路及び流れる電流経路を示す。図２２（Ｂ）と（Ｃ）は、接続が異なるため、電流の流れる向きが異なる。しかし本質的には両者は同一である。
【００３５】
　本発明は、図２２（Ａ）に示すように、設定時に第１トランジスタ２１及び第２トランジスタ２２との接続が並列接続状態となり、図２２（Ｂ）及び（Ｃ）に示すように、発光時に第１トランジスタ２１及び第２トランジスタ２２との接続が直列接続状態となることを特徴とする。
【００３６】
　設定時と発光時とにおいて、接続状態を切り替えるため、各所にスイッチが設けられている。本実施の形態において、設定時及び発光時において、それぞれ図２２（Ａ）、（Ｂ）及び（Ｃ）に示すように電流が流れる限り、各スイッチはどこに設けてもよい。
【００３７】
　本実施の形態において駆動用のトランジスタを設ける場合、設定時と発光時に次の条件を満たすように設ければよい。まず設定時において、ビデオ信号により制御されるトランジスタ（駆動用のトランジスタ）のオン・オフにかかわらず、図２２（Ａ）に示すように電流が流れることが必要である。且つ発光時（ビデオ信号が入力されるとき）には、図２２（Ｂ）又は（Ｃ）に示すように電流が流れ、ビデオ信号が入力されないとき図２２（Ｂ）又は（Ｃ）に示すように電流が流れない（電流のパスが切れる）必要がある。
【００３８】
　本実施の形態において消去用のトランジスタを設ける場合、発光素子を非点灯状態としたいときに、電流のパスが切れるように設ければよい。電流のパスの切り方は、消去用のトランジスタで切ってもよいし、駆動用のトランジスタがオフとなるように消去用のトランジスタを設けてもよい。
【００３９】
　図２（Ａ）に、スイッチを設けた具体的な電流源回路を示す。図２（Ａ）の電流源回路は、電流線２０１、電源線２０２、走査線２０３、第１トランジスタ２１１、第２トランジスタ２１２、容量素子２１３、第１スイッチから第４スイッチ２１４〜２１７を有し、第１スイッチから第４スイッチ２１４〜２１７は走査線２０３により制御されている。なお、各スイッチ分走査線２０３を設けるよう示すが、スイッチを構成するトランジスタの極性を工夫して、各々の走査線を共有して、配線数を低減することができる。
【００４０】
　以下に、図２（Ａ）の電流源回路の接続関係を説明する。なお、第１トランジスタ２１１及び第２トランジスタ２１２の極性はｐチャネル型の場合で説明する。
【００４１】
　第１トランジスタ２１１のゲート電極と第２トランジスタ２１２のゲート電極とは接続され、電流源として動作させる電流源トランジスタを構成している。第１スイッチ２１４は、電流線２０１及び電源線２０２とに接続され、第１トランジスタ２１１及び第２トランジスタ２１２のゲート電極と電源線２０２との間に設けられた容量素子２１３への電流の供給を制御するように設けられている。第１トランジスタ２１１の第１の電極は電源線２０２に接続され、第２の電極は第３スイッチ２１６を介して電流線２０１に接続されている。第２トランジスタ２１２の第１の電極は第２スイッチ２１５を介して電源線２０２に接続され、第２の電極は第１トランジスタ２１１の第２の電極と接続されている。第２トランジスタ２１２の第１の電極と発光素子との間には第４スイッチ２１７が接続されている。
【００４２】
　図２（Ｂ）には、図２（Ａ）とは別の電流源回路を示す。図２（Ｂ）の電流源回路は、図２（Ａ）の電流源回路と異なり第１トランジスタ２１１の第１の電極と、第２トランジスタ２１２の第１の電極とが接続されている。そのため図２（Ｂ）の電流源回路は、更に第５スイッチから第７スイッチ２１８〜２２０が設けられている。
【００４３】
　つまり図２（Ｂ）の電流源回路は、電流線２０１、電源線２０２、走査線２０３、第１トランジスタ２１１、第２トランジスタ２１２、容量素子２１３、第１スイッチから第４スイッチ２１４〜２１７に加え、第５スイッチから第７スイッチ２１８〜２２０を有し、第１から第７のスイッチは走査線２０３により制御されている。なお、スイッチ毎に走査線２０３を設けるよう示すが、スイッチを構成するトランジスタの極性を工夫して、各々の走査線を共有して、配線数を低減することができる。
【００４４】
　以下に、図２（Ｂ）の電流源回路の接続関係について、図２（Ａ）と異なる部分を説明する。なお、第１トランジスタ２１１及び第２トランジスタ２１２の極性はｐチャネル型の場合で説明する。
【００４５】
　第５スイッチ２１８は、第１トランジスタ２１１の第２の電極と電源線２０２との間に接続されている。第６スイッチ２１９は、第１トランジスタ２１１の第１の電極と電源線２０２との間に接続されている。第７スイッチ２２０は第１トランジスタ２１１の第２の電極と、第２トランジスタ２１２の第２の電極との間に接続されている。そして図２（Ａ）の電流源回路と異なり、第４スイッチ２１７は第２トランジスタ２１２の第２の電極と発光素子との間に設けられている。
【００４６】
　図２（Ａ）及び（Ｂ）に示す電流源回路の動作について、それぞれ図３、図４を用いて説明する。
【００４７】
　図３（Ａ）（Ｂ）には、図２（Ａ）の電流源回路における、設定時図３（Ａ）及び発光時図３（Ｂ）の各トランジスタや各スイッチの状態を示す。また、一点鎖線又は二点鎖線の矢印は電流経路を示している。
【００４８】
　最初に、電流の設定時の動作について、図３（Ａ）を用いて説明する。なお、第１トランジスタ２１１及び第２トランジスタ２１２の極性はｐチャネル型の場合で説明する。
【００４９】
　走査線２０３により第１スイッチ２１４、第２スイッチ２１５、第３スイッチ２１６がオンとなり、第４スイッチ２１７はオフとなる。すると、二点鎖線で示すように電源線２０２、容量素子２１３、電流線２０１の順に電流が流れ始め、容量素子２１３に電荷が蓄積、保持される。そして容量素子２１３は、蓄積される電荷に基づく電圧を供給することができる。そして、蓄積される電荷に基づく電圧が第１トランジスタ２１１及び第２トランジスタ２１２のしきい値（Ｖｔｈ）を超えると、各スイッチにより並列接続状態となっている第１トランジスタ２１１及び第２トランジスタ２１２へ、一点鎖線の矢印のように電流が流れる。このときに、第１トランジスタ２１１及び第２トランジスタ２１２は、ある一定の信号電流（Ｉdata）を供給するように設定される。
【００５０】
　その後、図３（Ｂ）に示す発光状態（発光時）となる。まず、走査線２０３により、第１スイッチ２１４、第２スイッチ２１５、第３スイッチ２１６がオフとなり、第４スイッチ２１７はオンとなる。すると、直列接続状態となっている第１トランジスタ２１１及び第２トランジスタ２１２へ、一点鎖線の矢印のように電流が流れ、発光素子へ信号電流（Ｉdata）が供給される。
【００５１】
　図４（Ａ）（Ｂ）には、図２（Ｂ）の電流源回路における設定時図４（Ａ）及び発光時図４（Ｂ）の各トランジスタや各スイッチの状態を示す。また、二点鎖線又は一点鎖線の矢印は電流経路を示している。
【００５２】
　最初に、電流の設定時の動作について、図４（Ａ）を用いて説明する。なお、第１トランジスタ２１１及び第２トランジスタ２１２の極性はｐチャネル型の場合で説明する。
【００５３】
　図２（Ｂ）は、図２（Ａ）と異なり第１トランジスタ２１１の第１の電極と、第２トランジスタ２１２の第１の電極とが接続され、第５スイッチから第７スイッチ２１８〜２２０が設けられている。そのため図４（Ａ）の設定時には、図３（Ａ）設定時の動作に加えて、走査線２０３により第５スイッチ２１８はオフとなり、第６スイッチ２１９及び第７スイッチ２２０はオンとなっている。
【００５４】
　そして図３（Ａ）と同様、二点鎖線で示すように電源線２０２→容量素子２１３→電流線２０１の順に電流が流れ始め、容量素子２１３に電荷が蓄積、保持される。容量素子２１３は、蓄積される電荷に基づく電圧を供給することができる。蓄積される電荷に基づく電圧が各トランジスタのしきい値（Ｖｔｈ）を越えると、並列接続状態となっている第１トランジスタ２１１及び第２トランジスタ２１２へ、一点鎖線の矢印のように電流が流れる。このときに、第１トランジスタ２１１及び第２トランジスタ２１２は、ある一定の信号電流（Ｉdata）を供給するように設定される。
【００５５】
　その後、図４（Ｂ）に示すような発光状態（発光時）となる。このとき図３（Ｂ）の発光時の動作に加えて、走査線２０３により第５スイッチ２１８がオンとなり、第６スイッチ２１９及び第７スイッチ２２０はオフとなる。すると、直列接続状態となっている第１トランジスタ２１１及び第２トランジスタ２１２へ、一点鎖線の矢印のように電流が流れ、発光素子へ供給される。
【００５６】
　なお、本実施の形態の電流源回路において、各トランジスタや各スイッチの接続関係は図２（Ａ）、（Ｂ）に限定されるものではなく、図２２に示すような電流経路となるように適宜設定すればよい。
【００５７】
　このように、各トランジスタを設定時に並列接続状態とし、発光時には直列接続状態とする手段（具体的には走査線により制御される各スイッチ）により、発光素子へ供給される電流ＩEが非常に小さな値であっても、設定動作を確実、短時間に行うことができる。
【００５８】
　仮に第１トランジスタ２１１及び第２トランジスタ２１２とでチャネル形成領域のチャネル長（Ｌ）及びチャネル幅（Ｗ）が等しいとすると、並列接続状態にはＷが２倍になり、Ｌも２倍になる。従って発光素子へ流れる電流ＩEと、設定動作時に流れる電流Ｉdataは、ＩE＝Ｉdata×（１／２）×（１／２）＝（１／４）×Ｉdataとなる。
【００５９】
　また図２３（Ａ）〜（Ｃ）には、電流源回路の駆動用素子が三つのトランジスタを備える場合の回路構成を示す。
【００６０】
　図２３（Ａ）〜（Ｃ）に示す電流源回路は、第１トランジスタ３１、第２トランジスタ３２及び第３トランジスタ３３、容量素子３４、発光素子３６、電流線３５、電源線３７を有している。なお、第１トランジスタ３１、第２トランジスタ３２及び第３トランジスタ３３の極性はｐチャネル型であるとする。
【００６１】
　そして、図２３（Ａ）には設定動作を行うときの、電流源回路及び電流経路を示す。また、図２３（Ｂ）、（Ｃ）には発光を行うときの、電流源回路及び電流経路を示す。図２３（Ｂ）と（Ｃ）は、電流の流れる向きが異なるだけであり、接続が異なる。しかし本質的には両者は同一である。
【００６２】
　本発明は、図２３（Ａ）、（Ｂ）及び（Ｃ）に示すように、設定時に第１トランジスタ３１、第２トランジスタ３２及び第３トランジスタ３３との接続が並列接続状態となり、発光時に第１トランジスタ３１、第２トランジスタ３２及び第３トランジスタ３３との接続が直列接続状態となることを特徴とする。そのため、本発明は設定時及び発光時において、それぞれ図２３（Ａ）、（Ｂ）及び（Ｃ）に示すように電流が流れる限り、各スイッチはどこに設けてもよい。
【００６３】
　また本実施の形態において駆動用のトランジスタを設ける場合、設定時と発光時に次の条件を満たすように設ければよい。まず設定時において、ビデオ信号により制御されるトランジスタ（駆動用のトランジスタ）のオン・オフにかかわらず、図２３（Ａ）に示すように電流が流れることが必要である。且つ発光時（ビデオ信号が入力されるとき）図２３（Ｂ）又は（Ｃ）に示すように電流が流れ、ビデオ信号が入力されないとき図２３（Ｂ）又は（Ｃ）に示すように電流が流れない（電流のパスが切れる）必要がある。
【００６４】
　また本実施の形態において消去用のトランジスタを設ける場合、発光素子を非点灯状態としたいときに、電流のパスが切れるように設ければよい。電流のパスの切り方は、消去用のトランジスタで切ってもよいし、駆動用のトランジスタがオフとなるように消去用のトランジスタを設けてもよい。
【００６５】
　図５（Ａ）に具体的な電流源回路を示す。図５（Ａ）の電流源回路は、電流線５０１、電源線５０２、走査線５０３、第１トランジスタ５１１、第２トランジスタ５１２、第３トランジスタ５１３、容量素子２１４、第１スイッチから第８スイッチ５２１〜５２８を有し、第１スイッチから第８スイッチ５２１〜５２８は走査線５０３により制御されている。なお、スイッチ毎に走査線５０３を設けるよう示すが、スイッチを構成するトランジスタの極性を工夫して、一つの走査線を共有することができる。
【００６６】
　次に図５（Ａ）の電流源回路の接続関係を説明する。なお、第１トランジスタ５１１、第２トランジスタ５１２及び第３トランジスタ５１３の極性はｐチャネル型の場合で説明する。
【００６７】
　第１トランジスタ５１１のゲート電極と第２トランジスタ５１２のゲート電極と、第３トランジスタ５１３のゲート電極は接続され、電流源トランジスタを構成している。第１スイッチ５２１は、電流線５０１及び電源線５０２とに接続され、第１トランジスタ５１１、第２トランジスタ５１２及び第３トランジスタ５１３のゲート電極と電源線５０２との間に設けられた容量素子５１４への電流の供給を制御するように設けられている。第１トランジスタ５１１の第１の電極は第７スイッチ５２７を介して電源線５０２に接続され、第２の電極は第６スイッチ５２６を介して電流線５０１に接続されている。更に第１トランジスタ５１１の第２の電極は第８スイッチ５２８を介して電源線５０２と接続されている。第２トランジスタ５１２の第１の電極は第４スイッチ５２４を介して電源線５０２に接続され、第２の電極は第３トランジスタ５１３の第２の電極と接続され、更に第３スイッチ５２３を介して電流線５０１に接続されている。そして、第１トランジスタ５１１の第１の電極と、第２トランジスタ５１２の第１の電極とが接続されている。第３トランジスタ５１３の第１の電極は第２スイッチ５２２を介して電源線５０２に接続され、更に第５スイッチ５２５を介して発光素子と接続されている。
【００６８】
　図５（Ｂ）には、図５（Ａ）とは別の電流源回路を示す。図５（Ｂ）の電流源回路は、図５（Ａ）の電流源回路と異なり、第２トランジスタ５１２の第１の電極と、第３トランジスタ５１３の第１の電極とが接続されている。そのため、スイッチの数及びスイッチに伴う配線が減っており、より簡単な構成となっている。
【００６９】
　具体的な図５（Ｂ）の電流源回路は、電流線５０１、電源線５０２、走査線５０３、第１トランジスタ５１１、第２トランジスタ５１２、第３トランジスタ５１３、容量素子５１４、第１スイッチから第６スイッチ５２１〜５２６を有し、第１スイッチから第６スイッチ５２１〜５２６は走査線５０３により制御されている。
【００７０】
　以下に、図５（Ｂ）の電流源回路の接続関係について、図５（Ａ）と異なる部分を説明する。なお、第１トランジスタ５１１、第２トランジスタ５１２及び第３トランジスタ５１３の極性はｐチャネル型の場合で説明する。
【００７１】
　第１トランジスタ５１１の第１の電極は、スイッチを介さずに電源線５０２と接続される。また第１トランジスタ５１１の第２の電極は、第２トランジスタ５１２の第２の電極に接続され、更に第６スイッチ５２６を介して第３トランジスタ５１３の第２の電極に接続され、そして更に第３スイッチ５２３を介して電流源５０１に接続されている。
【００７２】
　次に、図５（Ａ）、（Ｂ）に示す電流源回路の動作について説明する。
【００７３】
　図６（Ａ）（Ｂ）には、図５（Ａ）の電流源回路における設定時図６（Ａ）及び発光時図６（Ｂ）の各トランジスタや各スイッチの状態を示す。また、二点鎖線又は一点鎖線の矢印は電流経路を示している。
【００７４】
　最初に、電流の設定時の動作について、図６（Ａ）を用いて説明する。なお、第１トランジスタ５１１、第２トランジスタ５１２及び第３トランジスタ５１３の極性はｐチャネル型の場合で説明する。
【００７５】
　まず走査線５０３により第１スイッチ５２１、第２スイッチ５２２、第３スイッチ５２３、第４スイッチ５２４、第６スイッチ５２６、第７スイッチ５２７はオンとなり、第５スイッチ５２５、第８スイッチ５２８はオフとなる。すると、二点鎖線で示すように電源線５０２、容量素子５１４、電流線５０１の順に電流が流れ始め、容量素子５１４に電荷が蓄積、保持される。そして容量素子５１４は、蓄積される電荷に基づく電圧を供給することができる。そして、蓄積される電荷に基づく電圧が第１トランジスタ５１１、第２トランジスタ５１２及び第３トランジスタ５１３のしきい値（Ｖｔｈ）を超えると、各スイッチにより並列接続状態となっている第１トランジスタ５１１、第２トランジスタ５１２及び第３トランジスタ５１３へ、一点鎖線の矢印のように電流が流れる。このときに、第１トランジスタ５１１、第２トランジスタ５１２及び第３トランジスタ５１３は、ある一定の信号電流（Ｉdata）を供給するように設定される。
【００７６】
　その後、図６（Ｂ）に示す発光状態（発光時）となる。まず走査線５０３により第１スイッチ５２１、第２スイッチ５２２、第３スイッチ５２３、第４スイッチ５２４、第６スイッチ５２６、第７スイッチ５２７がオフとなり、第５スイッチ５２５、第８スイッチ５２８はオンとなる。すると、直列接続状態となっている第１トランジスタ５１１、第２トランジスタ５１２及び第３トランジスタ５１３へ、一点鎖線の矢印のように電流が流れ、発光素子へ信号電流（Ｉdata）供給される。
【００７７】
　次に図７（Ａ）（Ｂ）には、図５（Ｂ）の電流源回路における設定時図７（Ａ）及び発光時図７（Ｂ）の各トランジスタや各スイッチの状態を示す。また、二点鎖線又は一点鎖線の矢印は電流経路を示している。
【００７８】
　最初に、電流の設定時の動作について、図７（Ａ）を用いて説明する。なお、第１トランジスタ５１１、第２トランジスタ５１２及び第３トランジスタ５１３の極性はｐチャネル型の場合で説明する。
【００７９】
　走査線５０３により第１スイッチ５２１、第２スイッチ５２２、第３スイッチ５２３、第４スイッチ５２４、第６スイッチ５２６、がオンとなり、第５スイッチ５２５はオフとなる。すると図６と同様、二点鎖線で示すように電流が流れ容量素子５１４に電荷が蓄積、保持される。そして容量素子５１４は、蓄積される電荷に基づく電圧を供給することができる。そして、蓄積される電荷に基づく電圧が各トランジスタのしきい値（Ｖｔｈ）を越えると、並列接続状態となっている第１トランジスタから第３トランジスタ５１１〜５１３へ一点鎖線の矢印のように電流が流れる。このときに、第１トランジスタから第３トランジスタ５１１〜５１３は、ある一定の信号電流（Ｉdata）を供給するように設定される。
【００８０】
　その後、図７（Ｂ）に示すような発光状態（発光時）となる。このとき、走査線５０３により第１スイッチ５２１、第２スイッチ５２２、第３スイッチ５２３、第４スイッチ５２４、第６スイッチ５２６、がオフとなり、第５スイッチ５２５はオンとなる。すると、直列接続状態となっている第１トランジスタから第３トランジスタ５１１〜５１３へ、一点鎖線の矢印のように電流が流れ、発光素子へ信号電流が供給される。
【００８１】
　なお、本実施の形態の電流源回路において、各トランジスタや各スイッチの接続関係は図５（Ａ）、（Ｂ）に限定されるものではなく、図２３（Ａ）（Ｂ）に示すような電流経路となるように適宜設定すればよい。
【００８２】
　このように、各トランジスタを電流の設定時に並列接続状態とし、発光時には直列接続状態とする手段（具体的には走査線により制御される各スイッチ）により、発光素子へ供給される電流ＩEが非常に小さな値であっても、設定動作を確実、短時間に行うことができる。
【００８３】
　仮に第１トランジスタ５１１、第２トランジスタ５１２、第３トランジスタ５１３とでチャネル形成領域のチャネル長（Ｌ）及びチャネル幅（Ｗ）が等しいとすると、並列接続状態にはＷが３倍になり、Ｌも３倍になる。従って発光素子へ流れる電流ＩEと、設定動作時に流れる電流Ｉdataは、ＩE＝Ｉdata×（１／３）×（１／３）＝（１／９）×Ｉdataとなる。
【００８４】
　なお、本実施の形態では電流源回路の駆動用素子に用いるトランジスタ数を二つの場合と、三つの場合とを示したが、それ以上のトランジスタを本実施の形態を参照して適宜設けることができることは言うまでもない。
【００８５】
　以上のように、各トランジスタが電流の設定時には並列接続状態となるように使用し、発光時には直列接続状態となるように使用することを特徴とする。すなわち、各トランジスタを電流の設定時には並列接続状態となるようにし、発光時には直列接続状態となるようにする手段を有することを特徴とする。
【００８６】
　また、信号電流を設定してから発光素子へ供給するため、駆動用トランジスタはスイッチング素子としてのみ使用することができ、トランジスタの電気的特性バラツキを要因とする輝度のバラツキを低減することが可能となる。
【００８７】
　そして、各トランジスタの電気的特性が同一であるとすると、電流源トランジスタを構成するトランジスタが二つのときは、設定時の電流値は発光素子へ供給される電流値の４倍（２2倍）となる。また一般的に、電流源回路におけるトランジスタの数をｎ個の場合を考えると、設定時の電流値Ｉwと発光素子へ供給される電流値ＩEとは、関係式Ｉw＝ｎ2×ＩEが成立する。
【００８８】
なお、上記関係式が成立するためには、トランジスタが同一の電気的特性をもつことが条件となる。しかし、トランジスタの電気的特性が、若干のバラツキを伴っている場合であっても、近似的に関係式が成立するとして扱うことは現実的に可能である。
【００８９】
　従って、電流源回路の駆動用素子を複数のトランジスタで構成し、電流を書き込む場合と、発光素子を発光させる場合とで、複数のトランジスタの接続を並列と直列とに切り替えて用いることにより、設定時の電流値Ｉwと、発光素子へ供給される発光時の電流値ＩEとを、任意に設定することができる。そのため、非常に小さなＩEであっても、設定動作を確実に行うことができ、更には設定時間を短時間とすることができる。また、発光素子の輝度バラツキを低減することが可能となる。
　（実施の形態２）
【００９０】
　本実施の形態では、発光時に図２２（Ｂ）で示したように電流が流れる電流源回路を備えた具体的な画素構成の例を、図８（Ａ）〜（Ｃ）及び図２４を用いて説明する。
【００９１】
　図８（Ａ）に示す画素は、図２２（Ａ）〜（Ｃ）に示す電流源回路を備える画素の一例であり、信号線８０１、第１走査線８０２、第２走査線８０３、第３走査線８０４、電流線８０５、電源線８０６、選択用の第１トランジスタ８１１、消去用の第２トランジスタ８１２、駆動用の第３トランジスタ８１３、発光用の第４トランジスタ８１４、電流源トランジスタを構成する電流源用の第５トランジスタ８１５及び第６トランジスタ８１６、保持用の第７トランジスタ８１７、電流入力用の第８トランジスタ８１８、切替用の第９トランジスタ８１９、第１保持容量８２０、第２保持容量８２１、及び発光素子８２２を有している。
【００９２】
　本実施の形態において、消去用のトランジスタは任意に設ければよく、発光素子を非点灯としたいときに、発光素子へ電流が流れないようにすればどこに設けてもよい。例えば、消去用の第２トランジスタ８１２を容量素子８２０の電荷を放電する位置に設けたり、電流が流れる経路において、発光素子８２２へ供給される電流を遮断するように設けてもよい。そして本実施の形態において、電流が流れないように制御する方法は、消去用のトランジスタで制御しても、駆動用のトランジスタで制御するように消去用のトランジスタを設けてもよい。
【００９３】
　消去用の第２トランジスタ８１２は、本発明の画素構成において多階調表示を行う場合、１フレームを任意の数に分割する時間階調表示を用いるとき、発光素子の発光を任意のタイミングで止める消去期間を設けるために自由に設けられている。よって、発光素子が発光している期間（点灯期間）がアドレス期間よりも長い場合は消去用のトランジスタは設ける必要がない。そのため、消去用のトランジスタは任意に設ければよい。よって図８や図２４に示す画素において省略することのできる場合もある。なお、アドレス期間、消去期間、点灯期間は、実施の形態６で説明する。
【００９４】
　また設定時に、第２トランジスタ８１２又は第３トランジスタ８１３がオフとなるように制御する場合は、第４トランジスタ８１４は設けなくてよい。
【００９５】
　次に各部の接続関係について説明する。
【００９６】
　第１トランジスタ８１１の第１の電極は信号線８０１に接続され、第１トランジスタ８１１のゲート電極は第１走査線８０２に接続され、第１トランジスタ８１１の第２の電極は、第３トランジスタ８１３のゲート電極と、第１保持容量８２０を介して電源線８０６とに接続されている。第１保持容量８２０は第１トランジスタ８１１のゲート・ソース間電圧を保持する役割を担っている。第２トランジスタ８１２のゲート電極は第２走査線８０３に接続され、第１の電極は第３トランジスタ８１３の第２の電極と接続され、第２の電極は第４トランジスタ８１４の第１の電極に接続されている。第３トランジスタ８１３の第１の電極は発光素子８２２に接続されている。第４トランジスタ８１４のゲート電極は第３走査線８０４に接続され、第２の電極は、第６トランジスタの第２の電極と第９トランジスタの第１の電極とに接続されている。第５トランジスタ８１５のゲート電極と第６トランジスタ８１６のゲート電極とは接続され電流源トランジスタを構成し、更に第７トランジスタ８１７の第１の電極とも接続されている。第２保持容量８２１は電源線８０６と、第５トランジスタ８１５のゲート電極及び第６トランジスタ８１６のゲート電極と、の間に接続されている。第５トランジスタ８１５の第１の電極は、電源線８０６に接続され、第６トランジスタの第１の電極は、第９トランジスタ８１９を介して電源線８０６に接続されている。第５トランジスタ８１５の第２の電極と、第６トランジスタ８１６の第２の電極と、第７トランジスタ８１７の第２の電極とは接続されており、更に第８トランジスタ８１８を介して電流線８０５に接続されている。第４トランジスタ８１４のゲート電極と、第７トランジスタ８１７のゲート電極と、第８トランジスタ８１８のゲート電極と、第９トランジスタ８１９のゲート電極とは、それぞれ第３走査線８０４に接続されている。
【００９７】
　なお、消去用の第２トランジスタ８１２は、図８（Ａ）に示す位置に限定されない。例えば図８（Ｂ）に示すように、消去用の第２トランジスタ８１２を容量素子８２０の電荷を放電する位置に設けたり、図８（Ｃ）に示すように、電流が流れる経路において、発光素子８２２へ供給される電流を遮断するように設けたりしてもよい。
【００９８】
　なお、図８（Ａ）、（Ｂ）において、信号電流の設定を消去期間に行うとき、つまり信号電流の設定を第２トランジスタ８１２や第３トランジスタ８１３がオフしている期間に行うときには、第４トランジスタ８１４を省略（削除）することができる。
【００９９】
　更に図２４に示すように、駆動用の第３トランジスタ８１３を第５トランジスタ８１５の第１の電極と、第８トランジスタ８１８の第１の電極との間に設け、新たなトランジスタ８２３を第３トランジスタ８１３と電源線８０６との間に設けてもよい。
【０１００】
　次に上記の画素における電流の設定時や発光時の動作について説明する。
【０１０１】
　実際の画素部が設けられる表示画面には、図８（Ａ）〜（Ｃ）に示す画素が複数設けられており、順次第１走査線８０２が選択される。そして、選択された第１走査線８０２に接続されている第１トランジスタ８１１がオンとなり、信号線８０１からビデオ信号が入力される。入力されたビデオ信号に基づいて、第１保持容量８２０に電荷が蓄積される。蓄積される電荷が、第３トランジスタ８１３のＶｇｓを越えるとき、第３トランジスタ８１３がオンとなり、発光素子８２２へ信号電流を供給することができる状態となる。この動作により、画像の表示を行う。
【０１０２】
　そして、発光素子へ信号電流を供給することができる状態に合わせて、第３走査線８０４により制御される第４トランジスタ８１４等がオンとなる。すると、電流源回路により設定された信号電流が発光素子８２２へと供給される。すなわち、図３（Ｂ）で説明した直列接続状態となっている第１トランジスタ２１１と第２トランジスタ２１２が、図８（Ａ）〜（Ｃ）の第５トランジスタ８１５と第６トランジスタ８１６に相当し、直列接続状態の第５トランジスタ８１５と第６トランジスタ８１６を介して発光素子８２２へ信号電流が供給される。
【０１０３】
　つまり、図２（Ａ）に示すの第１スイッチ２１４、第２スイッチ２１５、第３スイッチ２１６が、それぞれ図８の第７トランジスタ８１７、第９トランジスタ８１９、第８トランジスタ８１８に相当している。
【０１０４】
　なお電流源回路において信号電流を設定する動作は、図３（Ａ）と同様であるため、ここでの説明は省略する。
【０１０５】
　以上のように本発明は、電流源回路の駆動用素子を複数のトランジスタで構成し、電流を書き込む場合と、発光素子を発光させる場合とで、各トランジスタを電流の設定時には並列接続状態となるようにし、発光時には直列接続状態となるようにする手段（本実施の形態では各トランジスタ）により、設定時の電流値Ｉwと、発光素子へ供給される発光時の電流値ＩEとを、任意に設定することができる。そのため、非常に小さなＩEであっても、設定動作を確実に行うことができ、更には設定時間を短時間とすることができる。また本発明により、発光素子の輝度バラツキを低減することが可能となる。
　（実施の形態３）
【０１０６】
　本実施の形態では、発光時に図２２（Ｃ）で示したように電流が流れる電流源回路を備えた具体的な画素の例を、図９乃至図１３、図２５乃至図２７を用いて説明する。なお、図２２（Ｃ）と図２２（Ｂ）とは、電流の流れる向きが異なるだけであり、接続が異なる。しかし本質的には両者は同一である。
【０１０７】
　図９に示す画素は、図２２（Ａ）〜（Ｃ）に示す電流源回路を備える画素の一例であり、第５トランジスタ８１５の第２の電極と第６トランジスタ８１６の第２の電極とが接続されている。そして図９の画素は、第１０トランジスタから第１２トランジスタ９１０〜９１２が設けられている。第１０トランジスタから第１２トランジスタ９１０〜９１２は、第３走査線８０４により制御されている。
【０１０８】
　第１０トランジスタ９１０は、電流源トランジスタを構成している第５トランジスタ８１５の第１の電極と電源線８０６との間に接続されている。第１１トランジスタ９１１は、第５トランジスタ８１５の第２の電極と電源線８０６との間に接続されている。第１２トランジスタ９１２は、第５トランジスタの第１の電極と第７トランジスタ８１７の第２の電極とに接続されている。
【０１０９】
　つまり、図９の画素は図２（Ｂ）に示す電流源回路を具体的にしたものである。そして図２（Ｂ）の第５スイッチ２１８、第６スイッチ２１９、第７スイッチ２２０は、それぞれ図９に示す第１０トランジスタ９１０、第１１トランジスタ９１１、第１２トランジスタ９１２、に相当する。
【０１１０】
　本実施の形態において、消去用のトランジスタは任意に設ければよく、発光素子を非点灯としたいときに、発光素子へ電流が流れないようにすればどこに設けてもよい。例えば、消去用の第２トランジスタ８１２を容量素子８２０の電荷を放電する位置に設けたり、電流が流れる経路において、発光素子８２２へ供給される電流を遮断するように設けたりしてもよい。そして本実施の形態において、電流が流れないように制御する方法は、消去用のトランジスタで制御しても、駆動用のトランジスタで制御するように消去用のトランジスタを設けてもよい。
【０１１１】
　なお、消去用の第２トランジスタ８１２は、本発明の画素構成において多階調表示を行う場合であって、１フレームを任意の数に分割する時間階調表示を用いるとき、発光素子の発光を任意のタイミングで止める消去期間を設けるために任意に設けられている。よって、発光素子が発光している期間（点灯期間）がアドレス期間よりも長い場合は消去用のトランジスタは設ける必要がない。そのため、消去用のトランジスタは任意に設ければよい。よって図８（Ａ）〜（Ｃ）や図２４に示す画素において省略することのできる場合もある。なお、アドレス期間、消去期間、点灯期間は、実施の形態６で説明する。
【０１１２】
　また設定時に、第２トランジスタ８１２又は第３トランジスタ８１３がオフとなるように制御する場合は、第４トランジスタ８１４はなくてもよい。
【０１１３】
　そして、選択された第１走査線８０２に接続されている第１トランジスタ８１１がオンとなり、信号線８０１からビデオ信号が入力される。入力されたビデオ信号に基づいて、第１保持容量８２０に電荷が蓄積される。蓄積される電荷が、第３トランジスタ８１３のＶｇｓを越えるとき、第３トランジスタ８１３がオンとなり、発光素子８２２へ信号電流を供給することができる状態となる。
【０１１４】
　そして、発光素子へ信号電流を供給することができる状態に合わせて、第３走査線８０４により制御される第４トランジスタ８１４がオンとなる。すると、電流源回路により設定された信号電流が発光素子８２２へと供給される。すなわち、図４（Ｂ）で説明した直列接続状態となっている第１トランジスタ２１１と第２トランジスタ２１２が、図９の第５トランジスタ８１５と第６トランジスタ８１６に相当し、直列接続状態の第５トランジスタ８１５と第６トランジスタ８１６を介して発光素子８２２へ信号電流が供給される。
【０１１５】
　また電流源回路において信号電流を設定する動作は、図４（Ａ）と同様であるため、ここでの説明は省略する。
【０１１６】
　次に図１０に示す画素は、図９の画素と異なり、第７トランジスタ８１７の第１の電極と、第８トランジスタ８１８の第１の電極とが直接接続されている。
【０１１７】
　そして、図１０に示す第１０トランジスタ９１０、第１１トランジスタ９１１、第１２トランジスタはそれぞれ、図２（Ｂ）の第５スイッチ２１８、第６スイッチ２１９、第７スイッチ２２０に相当し、設定時や発光時の動作は、図４（Ａ）、（Ｂ）と同様であるためここでの説明は省略する。
【０１１８】
　すなわち、図２２（Ａ）〜（Ｃ）に示す電流源回路を備えた画素は、図１０に示す画素を用いても同様な効果を奏することができる。
【０１１９】
　次に図１１（Ａ）に示す画素は、図１０の画素と異なり、第７トランジスタ８１７の第１の電極と、電流線８０５とが直接に接続されている。
【０１２０】
　また図１１（Ｂ）に示すように、駆動用の第３トランジスタ８１３を第５トランジスタの第２の電極と、第６トランジスタの第２の電極との間に設け、消去用の第２トランジスタ８１２を発光素子へ供給される電流を妨げる位置に設けてもよい。
【０１２１】
　そして、図１１（Ａ）（Ｂ）に示す第１０トランジスタ９１０、第１１トランジスタ９１１、第１２トランジスタはそれぞれ、図２（Ｂ）の第５スイッチ２１８、第６スイッチ２１９、第７スイッチ２２０に相当し、設定時や発光時の動作は、図４（Ａ）、（Ｂ）と同様であるためここでの説明は省略する。
【０１２２】
　すなわち、図２２（Ａ）（Ｂ）に示す電流源回路を備えた画素は、図１１に示す画素を用いても同様な効果を奏することができる。
【０１２３】
　次に図１２に示す画素は、図１１（Ａ）（Ｂ）の画素と異なり、消去用の第２トランジスタ８１２が電源線８０６と第１０トランジスタ９１０の第１の電極との間に接続されている。
【０１２４】
　このように、消去用の第２トランジスタ８１２は、発光素子８２２へ供給される電流を遮断する位置となるように適宜設ければよい。また、消去用の第２トランジスタ８１２を、第１保持容量８２０の電荷を放電させる位置に設けても構わない。
【０１２５】
　そして、図１２に示す第１０トランジスタ９１０、第１１トランジスタ９１１、第１２トランジスタはそれぞれ、図２（Ｂ）の第５スイッチ２１８、第６スイッチ２１９、第７スイッチ２２０に相当し、設定時や発光時の動作は、図４（Ａ）、（Ｂ）と同様であるためここでの説明は省略する。
【０１２６】
　すなわち、図２２（Ａ）〜（Ｃ）に示す電流源回路を備えた画素は、図１２に示す画素を用いても同様な効果を奏することができる。
【０１２７】
　次に図１３に示す画素は、図１２の画素と異なり、第１２トランジスタ９１２の第１の電極と電流線８０５とが直接接続されている。
【０１２８】
　そして、図１３に示す第１０トランジスタ９１０、第１１トランジスタ９１１、第１２トランジスタはそれぞれ、図２（Ｂ）の第５スイッチ２１８、第６スイッチ２１９、第７スイッチ２２０に相当し、設定時や発光時の動作は、図４（Ａ）、（Ｂ）と同様であるためここでの説明は省略する。
【０１２９】
　すなわち、図２２（Ａ）〜（Ｃ）に示す電流源回路を備えた画素は、図１３に示す画素を用いても同様な効果を奏することができる。
【０１３０】
　また図２５に示すように、消去用の第２トランジスタ８１２を第５トランジスタ８１５と電源線８０６との間に設け、第７トランジスタ８１７を第２保持容量８２１の一方と電源線８０６との間に設け、容量素子の電荷を保持するようにし、第５トランジスタ８１５の第２の電極と第６トランジスタ８１６の第２の電極とを接続してもよい。このとき、第１０トランジスタ９１０、第１１トランジスタ９１１を省略することができる。
【０１３１】
　また図２６に示すように、駆動用の第３トランジスタを電源線８０６と第１０トランジスタ９１０との間に設けてもよい。このとき、第４トランジスタ、第１１トランジスタ９１１及び第１２トランジスタ９１２を省略することができる。
【０１３２】
　更に図２７に示すように、消去用の第２トランジスタ８１２と駆動用の第３トランジスタとを接続し、それらを電源線８０６と第５トランジスタ８１５との間に設け、第７トランジスタを容量素子８２１の一方と電流線８０５との間に設け、容量素子の電荷を保持するようにし、第５トランジスタ８１５の第２の電極と第６トランジスタの第２の電極とを接続する。このとき、第１０トランジスタ９１０及び第１１トランジスタ９１１とを省略することができる。
【０１３３】
　すなわち、図２２に示す電流源回路を備えた画素は、図２５から図２７に示す画素を用いても同様な効果を奏することができる。
　（実施の形態４）
【０１３４】
　本実施の形態では、発光時に図２３（Ｂ）で示したように電流が流れる電流源回路を備えた具体的な画素構成を、図１４を用いて説明する。
【０１３５】
　図１４に示す画素は、図２３（Ａ）〜（Ｃ）に示す電流源回路を備える画素の一例であり、信号線６０１、第１走査線６０２、第２走査線６０３、第３走査線６０４、電流線６０５、電源線６０６、選択用の第１トランジスタ６１１、消去用の第２トランジスタ６１２、駆動用の第３トランジスタ６１３、発光用の第４トランジスタ６１４、電流源トランジスタを構成する電流源用の第５トランジスタ６１５、第６トランジスタ６１６及び第７トランジスタ６１７、保持用の第８トランジスタ６１８、電流入力用の第９トランジスタ６１９、第１から第３の切替用の第１０トランジスタから第１２トランジスタ６２０〜６２２、第５トランジスタ６１５と接続される第１３トランジスタ６２３、第１保持容量６３０、第２保持容量６３１、発光素子６３２、を有している。
【０１３６】
　本実施の形態において、消去用のトランジスタは任意に設ければよく、発光素子を非点灯としたいときに、発光素子へ電流が流れないようにすればどこに設けてもよい。例えば、消去用の第２トランジスタ６１２を第１保持容量６３０の電荷を放電する位置に設けたり、電流が流れる経路において、発光素子８２２へ供給される電流を遮断するように設けたりしてもよい。そして本実施の形態において、電流が流れないように制御する方法は、消去用のトランジスタで制御しても、駆動用のトランジスタで制御するように消去用のトランジスタを設けてもよい。
【０１３７】
　なお、消去用の第２トランジスタ６１２は、本発明の画素構成において多階調表示を行う場合、１フレームを任意の数に分割する時間階調表示を用いるとき、発光素子の発光を任意のタイミングで止める消去期間を設けるために任意に設けられている。よって、発光素子が発光している期間（点灯期間）がアドレス期間よりも長い場合は消去用のトランジスタは設ける必要がない。そのため、消去用のトランジスタは任意に設ければよい。よって消去用の第２トランジスタ６１２を省略することのできる場合もある。なお、アドレス期間、消去期間、点灯期間は、実施の形態６で説明する。
【０１３８】
　また設定時に、第３トランジスタ６１３又は第２トランジスタ６１２をオフとなるように制御しておく場合は、第４トランジスタ６１４は設けなくともよい。
【０１３９】
　次に各部の接続関係について説明する。
【０１４０】
　第１トランジスタ６１１の第１の電極は信号線６０１に接続され、　第１トランジスタ６１１のゲート電極は第１走査線８０２に接続され、第１トランジスタ６１１の第２の電極は第３トランジスタ６１３のゲート電極に接続され、更に第１保持容量６３０を介して電源線６０６に接続されている。この第１保持容量６３０は第１トランジスタ６１１のゲート・ソース間電圧を保持する役割を担っている。第２トランジスタ６１２のゲート電極は第２走査線６０３に接続され、第２の電極は電源線６０６に接続されている。第３トランジスタ６１３の第１の電極は発光素子６３２に接続されている。第４トランジスタ６１４のゲート電極は第３走査線６０４に接続され、第２の電極は第３トランジスタ６１３の第１の電極に接続されている。第５トランジスタ６１５のゲート電極と、第６トランジスタ６１６のゲート電極と、第７トランジスタ６１７のゲート電極とは、接続され、電流源トランジスタを構成し、更に第８トランジスタ６１８の第２の電極とも接続されている。第２保持容量６３１は電源線６０６と、第６トランジスタ６１６のゲート電極及び第７トランジスタ６１７のゲート電極と、の間に接続されている。第５トランジスタ６１５の第１の電極は、第１３トランジスタ６２３の第１の電極と接続し、第２の電極は第１０トランジスタ６２０．を介して電源線６０６に接続されている。第６トランジスタ６１６の第１の電極は、第９トランジスタ６１９を介して電流線６０５に接続し、第２の電極は第１１トランジスタ６２１を介して電源線６０６に接続されている。第７トランジスタの第１の電極は、第６トランジスタの第１の電極に接続され、第２の電極は第４トランジスタ６１４の第２の電極に接続され、更に第１２トランジスタを介して電源線６０６に接続されている。第４トランジスタ６１４のゲート電極と、第８トランジスタから第１３トランジスタ６１８〜６２３のゲート電極とは、それぞれ第３走査線６０４に接続されている。
【０１４１】
　なお、消去用の第２トランジスタ６１２は、容量素子６３０の電荷を放電する位置や発光素子６３２へ供給される電流を遮断する位置に設ければよく、図１４に示す位置に限定されない。
【０１４２】
　更に、消去用の第２トランジスタ６１２は任意に設ければよく、また発光用の第４トランジスタ６１４と兼用できるため、省略することができる。但しこのとき、第３走査線６０４とは異なる走査線を設け、兼用されたトランジスタを制御する必要がある。
【０１４３】
　また設定時に第３トランジスタ６１３がオフとなるように、第２トランジスタ６１２を制御しておく場合は、第４トランジスタ６１４はなくてもよい。
【０１４４】
　次に上記の画素における電流の設定時や発光時の動作について説明する。
【０１４５】
　実際の画素部を有する表示画面には、図１４に示す画素が複数設けられており、順次第１走査線６０２が選択される。そして、選択された第１走査線６０２に接続されている第１トランジスタ６１１がオンとなり、信号線６０１からビデオ信号が入力される。入力されたビデオ信号に基づいて、第１保持容量６３０に電荷が蓄積される。蓄積される電荷が、第３トランジスタ６１３のＶｇｓを越えるとき、第３トランジスタ６１３がオンとなり、発光素子６３２へ信号電流を供給することができる状態となる。
【０１４６】
　そして、発光素子へ信号電流を供給することができる状態に合わせて、第３走査線６０４により制御される第４トランジスタ６１４がオンとなる。すると、電流源回路により設定された信号電流が発光素子６３２へと供給される。すなわち、図６（Ｂ）で説明した直列接続状態となっている第１トランジスタ５１１、第２トランジスタ５１２及び第３トランジスタ５１３が、それぞれ図１４の第５トランジスタ６１５、第６トランジスタ６１６及び第７トランジスタ６１７に相当し、直列接続状態の第５トランジスタから第７トランジスタ６１５〜６１７を介して発光素子６３２へ信号電流が供給される。
【０１４７】
　また電流源回路において信号電流を設定する動作は、図６（Ａ）と同様であるため、ここでの説明は省略する。なお、図６（Ａ）の第１スイッチ５２１、第２スイッチ５２２、第３スイッチ５２３、第４スイッチ５２４、第６スイッチ５２６、第７スイッチ５２７、第８スイッチ５２８が、それぞれ図１４の第８トランジスタ６１８、第１２トランジスタ６２２、第９トランジスタ６１９、第１１トランジスタ６２１、第１３トランジスタ６２３、第１１トランジスタ６２１、第１０トランジスタ６２０、に相当している。
【０１４８】
　以上のように本発明は、電流源回路の駆動用素子を複数のトランジスタで構成し、電流を書き込む場合と、発光素子を発光させる場合とで、各トランジスタを電流の設定時には並列接続状態となるようにし、発光時には直列接続状態となるようにする手段（本実施の形態では各トランジスタ）により、設定時の電流値Ｉwと、発光素子へ供給される発光時の電流値ＩEとを、任意に設定することができる。そのため、非常に小さなＩEであっても、設定動作を確実に行うことができ、更には設定時間を短時間とすることができる。また本発明により、発光素子の輝度バラツキを低減することが可能となる。
　（実施の形態５）
【０１４９】
　本実施の形態では、発光時に図２３（Ｃ）で示したように電流が流れる電流源回路を備えた具体的な画素構成を、図１５を用いて説明する。なお、図２３（Ｃ）と図２３（Ｂ）とは、電流の流れる向きが異なるだけであり、接続が異なる。しかし本質的には両者は同一である。
【０１５０】
　図１５に示す画素は、図２３（Ａ）〜（Ｃ）に示す電流源回路を備える画素の一例であり、図１４の画素と異なり、第２トランジスタが第１保持容量６３０の電荷を放電するように設けられ、第６トランジスタの第２の電極と、第７トランジスタの第２の電極とが接続されている。更に、第１３トランジスタ６２３は第９トランジスタ６１９を介して電流線６０５に接続され、第９トランジスタ６１９と第１３トランジスタ６２３との間に、第７トランジスタ６１７の第１の電極、第８トランジスタ６１８の第１の電極、第４トランジスタ６１４の第２の電極が接続されている。
【０１５１】
　そして、図１５に示す第８トランジスタ６１８、第９トランジスタ６１９、第１１トランジスタ６２１、第１２トランジスタ６２２、第１３トランジスタ６２３はそれぞれ、図５（Ｂ）の第１スイッチ５２１、第３スイッチ５２３、第４スイッチ５２４、第２スイッチ５２２、第６スイッチ５２６に相当する。
【０１５２】
　本実施の形態において、消去用のトランジスタは任意に設ければよく、発光素子を非点灯としたいときに、発光素子へ電流が流れないようにすればどこに設けてもよい。例えば、消去用の第２トランジスタ６１２を第１保持容量６３０の電荷を放電する位置に設ける代わりに、電流が流れる経路において、発光素子６３２へ供給される電流を遮断するように設けたりしてもよい。そして本実施の形態において、電流が流れないように制御する方法は、消去用のトランジスタで制御しても、駆動用のトランジスタで制御するように消去用のトランジスタを設けてもよい。
【０１５３】
　なお、消去用の第２トランジスタ６１２は、本発明の画素構成において多階調表示を行う場合、１フレームを任意の数に分割する時間階調表示を用いるとき、発光素子の発光を任意のタイミングで止める消去期間を設けるために自由に設けられている。よって、発光素子が発光している期間（点灯期間）がアドレス期間よりも長い場合は消去用のトランジスタは設ける必要がない。そのため、消去用のトランジスタは任意に設ければよい。よって消去用の第２トランジスタ６１２を省略できる場合もある。なお、アドレス期間、消去期間、点灯期間は、実施の形態６で説明する。
【０１５４】
　また設定時に、第３トランジスタ６１３又は第２トランジスタ６１２をオフとなるように制御しておく場合は、第４トランジスタ６１４は設けなくともよい。
【０１５５】
　そして、選択された第１走査線６０２に接続されている第１トランジスタ６１１がオンとなり、信号線６０１からビデオ信号が入力される。入力されたビデオ信号に基づいて、第１保持容量６３０に電荷が蓄積される。蓄積される電荷が、第３トランジスタ６１３のＶｇｓを越えるとき、第３トランジスタ６１３がオンとなり、発光素子６３２へ信号電流を供給することができる状態となる。
【０１５６】
　そして、発光素子６３２へ信号電流を供給することができる状態に合わせて、第３走査線６０４により制御される第４トランジスタ６１４がオンとなる。すると、電流源回路により設定された信号電流が発光素子６３２へと供給される。すなわち、図７（Ｂ）で説明した直列接続状態となっている第１トランジスタ５１１、第２トランジスタ５１２及び第３トランジスタ５１３が、図１５の第５トランジスタ６１５、第６トランジスタ６１６及び第７トランジスタ６１７に相当し、直列接続状態の第５トランジスタ６１５、第６トランジスタ６１６及び第７トランジスタ６１７を介して発光素子６３２へ信号電流が供給される。
【０１５７】
　また電流源回路において信号電流を設定する動作は、図７（Ａ）と同様であるため、ここでの説明は省略する。
【０１５８】
　以上のように本発明では、電流源回路の駆動用素子を複数のトランジスタで構成し、電流を書き込む場合と、発光素子を発光させる場合とで、各トランジスタを電流の設定時には並列接続状態となるようにし、発光時には直列接続状態となるようにする手段（本実施の形態では各トランジスタ）により、設定時の電流値Ｉwと、発光素子へ供給される発光時の電流値ＩEとを、任意に設定することができる。そのため、非常に小さなＩEであっても、設定動作を確実に行うことができ、更には設定時間を短時間とすることができる。また本発明により、発光素子の輝度バラツキを低減することが可能となる。
【０１５９】
　なお、上記各実施の形態では電流源トランジスタを構成するトランジスタの極性はｐ型で説明したが、これは一例であって本発明はこれに限定されるものではなく、ｎ型を用いても構わない。
　（実施の形態６）
【０１６０】
　本実施の形態では、多階調表示を行う場合に時間階調を用いたときのタイミングチャートを、図１６を用いて説明する。
【０１６１】
　図１６（Ａ）には、一つのフレームを三つに分割したサブフレーム期間ＳＦ１、ＳＦ２、ＳＦ３を有するフレーム期間Ｆ１、Ｆ２が示されている。各サブフレーム期間ＳＦ１、ＳＦ２、ＳＦ３は、走査線第１行目から最終行を順に選択し、選択された画素へ信号電流を書き込む書き込み期間（アドレス期間ともいう）Ｔａ１、Ｔａ２、Ｔａ３と、書き込まれた信号電流に基づき発光素子が点灯する点灯期間（発光期間又は表示期間ともいう）Ｔｓ１、Ｔｓ２、Ｔｓ３とを有している。
【０１６２】
　また、点灯期間の短いサブフレーム期間では、次の書き込み期間と重なってしまう問題が生じる。そのため、点灯期間の短いサブフレーム期間（図１６においてはＳＦ３）では、点灯期間を強制的に終了させる消去期間Ｔｅが設けられている。この消去期間を設ける場合であって、図８〜図１３、図２４〜図２７に示す画素では第２トランジスタ８１２、図１４、図１５に示す画素では第２トランジスタ６１２が消去用トランジスタに相当する。
【０１６３】
　そして書き込み期間では、図３（Ｂ）、４（Ｂ）、６（Ｂ）及び７（Ｂ）のいずれかで示した発光時の動作が画素で行われている。
【０１６４】
　また、信号電流の設定動作は、発光素子と電流源回路との接続を制御するスイッチがオフしているときに行われるため（図３（Ａ）、４（Ａ）、６（Ａ）及び７（Ａ）参照）、消去期間Ｔｅに行う必要がある。そのため、設定期間Ｔｃは、消去期間Ｔｅと合わせた期間に設けられている。
【０１６５】
　そして設定期間では、図３（Ａ）、４（Ａ）、６（Ａ）及び７（Ａ）のいずれかで示した動作が行われている。
【０１６６】
　しかし実際は、上記の設定期間では全ての画素において、設定動作を完了させることは難しい。そのため、ある一行の走査線に接続される画素の設定動作は、ある程度の時間をかける必要がある。
【０１６７】
　また設定期間において、各走査線を選択する速度は書き込み期間や消去期間と同じであることが望ましい。そのため、ある一行の走査線に接続される画素の設定動作に時間をかけたときであっても、選択される走査線は時間をかけた分先にすすんでしまう。そのため、任意の間隔おきの走査線に接続される画素に対して設定動作を行えばよい。
【０１６８】
　例えば図１６（Ｂ）に示すように、二つおきの走査線に接続される画素に対して設定動作を行えばよい。なお図１６（Ｂ）では、選択される走査線をＨｉｇｈとし、それ以外をＬｏｗとして示している。
【０１６９】
　そして、設定期間Ｔｃにおいて第１行目の走査線が選択され、３行分（第１行から第３行分に相当）の走査線を選択する時間をかけて設定動作を行う。次には、第４行目の走査線が選択され、同様に３行分の走査線を選択する時間をかけて設定動作を行う。その後順に、第７行目の走査線、第１０行目の走査線、・・・と順に設定動作が行われる。以上の設定動作を一つの設定期間で行う。
【０１７０】
　そして次の設定期間では、第２行目の走査線から選択し、３行分（第１行から第３行分に相当）の走査線を選択する時間をかけて設定動作を行う。次には、第５行目の走査線、第８行目の走査線・・・と順に設定動作が行われる。
【０１７１】
　更に次の設定期間では、第３行目の走査線から選択し、３行分（第１行から第３行分に相当）の走査線を選択する時間をかけて設定動作を行う。次には、第６行目の走査線、第９行目の走査線・・・と順に設定動作が行われる。
【０１７２】
　図１６（Ｂ）に示すように、二つおきの走査線を選択して設定動作を行う場合は、三つの設定期間Ｔｃにより全画素の設定動作を終了することができる。
【０１７３】
　もちろん、走査線の間隔は任意に設定することができ、設定動作に時間をかけるにつれ、走査線の間隔を増していけばよい。更に、サブフレーム期間の数も適宜設定すればよい。
【０１７４】
　また、より素早い設定動作を行うために、電流源回路の電流源トランジスタを構成しているトランジスタの数を増やしてもよい。例えば実施の形態２〜５で説明したように、二つ又は三つのトランジスタで電流源トランジスタを構成すればよい。
【０１７５】
　また、設定動作を一度行った後、再度設定動作を行うまでの間隔は、任意に設定すればよく、第１保持容量８２１にたまった電荷がリーク等により少なくなってきたときに再度設定すればよい。また、必ずしも第１の走査線から順に設定動作を行う必要はない。
【０１７６】
　また１フレームを更に複数のサブフレーム期間に分ける場合、アドレス期間よりも点灯期間が短いとき、消去期間を複数設ける必要がある。それに伴い、設定期間を複数設けることができ、設定動作に時間をかけることが可能となる。
【０１７７】
　以上のように、本実施の形態の駆動方法により消去期間を上手く利用して設定動作を行うことができ、更に設定動作時には各トランジスタが並列接続状態となっているため、素早く信号電流を設定することが可能となる。
　（実施の形態７）
【０１７８】
　本実施の形態では、図８に示す画素において各トランジスタを薄膜トランジスタ（以下、ＴＦＴと表記）を用いて作製したときの上図面を、図１７を用いて説明する。また、トランジスタは、単結晶、ＳＯＩ、有機トランジスタ等を用いて作製しても構わない。なお図１７では、第２保持容量８２１を省略し、消去用の第２トランジスタ８１２と発光用の第４トランジスタ８１４とを兼用した場合の上図面を示している。
【０１７９】
　　図１７をみると、ＴＦＴを形成する領域に同一層（同一レイヤ）をパターニングして複数の活性層が設けられ、次に第１走査線８０２、第２走査線８０３、第３走査線８０４とが同一層（同一レイヤ）をパターニングして設けられ、その後信号線８０１、電流線８０５、電源線８０６とが同一層（同一レイヤ）をパターニングして設けられ、最後に発光素子の第１の電極（ここでは陽極とする）が設けられている。
【０１８０】
　　そして、第１走査線８０２の一部がゲート電極となる選択用の第１トランジスタ８１１が設けられている。第１トランジスタ８１１は、一つの活性層（半導体膜）にゲート電極が二つ設けられたダブルゲート構造とすることで、一つの活性層に一つのゲート電極が設けられたシングルゲート構造と比べて選択（スイッチング）を確実に行うことができる。また、第１トランジスタ８１１は一つの活性層にゲート電極が三つ以上設けられたマルチゲート構造とすることも可能である。
【０１８１】
　　また、第２走査線８０３の一部がゲート電極となる消去用兼発光用の第２トランジスタ８１２（８１４）が設けられている。また、コンタクトを介して第１トランジスタの第２の電極にゲート電極が接続された駆動用の第３トランジスタ８１３が設けられている。
【０１８２】
　　また、電流源トランジスタを構成する第５トランジスタ８１５及び第６トランジスタ８１６のバラツキを低減するため、ＴＦＴのチャネル形成領域のチャネル長（Ｌ）及びチャネル幅（Ｗ）を大きくしたり、活性層の結晶化において同一方向にレーザを照射したりすると好ましい。更に、チャネル形成領域のＬ及びＷを大きくすることにより、ゲート容量が大きくなり第２容量素子８２１を省略することができる。
【０１８３】
　　また、第３走査線８０４にゲート電極が接続されている第７トランジスタ８１７、第８トランジスタ８１８及び第９トランジスタ８１９が設けられている。第７トランジスタ８１７の第１の電極と、第５トランジスタ及び第６トランジスタのゲート電極とが接続されている。また、活性層と、走査線と同一の層とで形成された容量素子８２０が設けられている。
【０１８４】
　　このような各ＴＦＴの構成は、ゲート電極がチャネル形成領域の上にあるトップゲート型構造やその逆のボトムゲート型構造を用い、不純物領域（ソース領域又はドレイン領域）にはオフセット構造やGOLD構造を用いればよい。
　（実施の形態８）
【０１８５】
　　本発明を用いて形成される発光素子を備えた画素部を有する電子機器として、ビデオカメラ、デジタルカメラ、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機又は電子書籍等）、記録媒体を備えた画像再生装置（具体的にはDigital Versatile Disc（ＤＶＤ）等の記録媒体を再生し、その画像を表示しうるディスプレイを備えた装置）などが挙げられる。特に、斜め方向から画面を見る機会が多い携帯情報端末は、視野角の広さが重要視されているため、発光素子を有する表示装置を用いることが望ましい。それら電子機器の具体例を図１９に示す。
【０１８６】
　　図１９（Ａ）は表示装置であり、筐体２００１、支持台２００２、表示部２００３、スピーカー部２００４、ビデオ入力端子２００５等を含む。本発明により形成される発光素子を備えた画素部は、表示部２００３に用いることができる。なお、表示装置は、パソコン用、ＴＶ放送受信用、広告表示用などの全ての情報表示用発光装置が含まれる。
【０１８７】
　　図１９（Ｂ）はデジタルスチルカメラであり、本体２１０１、表示部２１０２、受像部２１０３、操作キー２１０４、外部接続ポート２１０５、シャッター２１０６等を含む。本発明により形成される発光素子を備えた画素部は、表示部２１０２に用いることができる。
【０１８８】
　　図１９（Ｃ）はノート型パーソナルコンピュータであり、本体２２０１、筐体２２０２、表示部２２０３、キーボード２２０４、外部接続ポート２２０５、ポインティングマウス２２０６等を含む。本発明により形成される発光素子を備えた画素部は、表示部２２０３に用いることができる。
【０１８９】
　図１９（Ｄ）はモバイルコンピュータであり、本体２３０１、表示部２３０２、スイッチ２３０３、操作キー２３０４、赤外線ポート２３０５等を含む。本発明により形成される発光素子を備えた画素部は、表示部２３０２に用いることができる。
【０１９０】
　　図１９（Ｅ）は記録媒体を備えた携帯型の画像再生装置（具体的にはＤＶＤ再生装置）であり、本体２４０１、筐体２４０２、表示部Ａ２４０３、表示部Ｂ２４０４、記録媒体（ＤＶＤ等）読み込み部２４０５、操作キー２４０６、スピーカー部２４０７等を含む。表示部Ａ２４０３は主として画像情報を表示し、表示部Ｂ２４０４は主として文字情報を表示するが、本発明により形成される発光素子を備えた画素部は、表示部Ａ、Ｂ２４０３、２４０４に用いることができる。なお、記録媒体を備えた画像再生装置には家庭用ゲーム機器なども含まれる。
【０１９１】
　図１９（Ｆ）はゴーグル型ディスプレイ（ヘッドマウントディスプレイ）であり、本体２５０１、表示部２５０２、アーム部２５０３を含む。本発明により形成される発光素子を備えた画素部は、表示部２５０２に用いることができる。
【０１９２】
　図１９（Ｇ）はビデオカメラであり、本体２６０１、表示部２６０２、筐体２６０３、外部接続ポート２６０４、リモコン受信部２６０５、受像部２６０６、バッテリー２６０７、音声入力部２６０８、操作キー２６０９等を含む。本発明により形成される発光素子を備えた画素部は、表示部２６０２に用いることができる。
【０１９３】
　図１９（Ｈ）は携帯電話であり、本体２７０１、筐体２７０２、表示部２７０３、音声入力部２７０４、音声出力部２７０５、操作キー２７０６、外部接続ポート２７０７、アンテナ２７０８等を含む。本発明により形成される発光素子を備えた画素部は、表示部２７０３に用いることができる。なお、表示部２７０３は黒色の背景に白色の文字を表示することで携帯電話の消費電流を抑えることができる。
【０１９４】
　以上のように、本発明の適用範囲は極めて広く、あらゆる分野の電子機器に用いることが可能である。また本実施の形態の電子機器は、実施の形態１から７に示したいずれの構成の画素構造を用いることができる。
　（実施の形態９）
【０１９５】
　実施の形態８において示した電子機器には、発光素子が封止された状態にあるパネルに、コントローラ、電源回路等を含むＩＣが実装された状態にあるモジュールが搭載されている。モジュールとパネルは、共に表示装置の一形態に相当する。本実施の形態では、モジュールの具体的な構成について説明する。
【０１９６】
　図２０（Ａ）に、コントローラ９０１及び電源回路９０２がパネル９００に実装されたモジュールの外観図を示す。パネル９００には、発光素子が各画素に設けられた画素部９０３と、前記画素部９０３が有する画素を選択する走査線駆動回路９０４と、選択された画素に信号を供給する信号線駆動回路９０５とが設けられている。
【０１９７】
　またプリント基板９０６にはコントローラ９０１、電源回路９０２が設けられており、コントローラ９０１または電源回路９０２から出力された各種信号及び電源電圧は、ＦＰＣ９０７を介してパネル９００の画素部９０３、走査線駆動回路９０４、信号線駆動回路９０５に供給される。
【０１９８】
　プリント基板９０６への電源電圧及び各種信号は、複数の入力端子が配置されたインターフェース（I/F）部９０８を介して供給される。
【０１９９】
　なお、本実施の形態ではパネル９００にプリント基板９０６がＦＰＣを用いて実装されているが、必ずしもこの構成に限定されない。ＣＯＧ(Chip on Glass)方式を用い、コントローラ９０１、電源回路９０２をパネル９００に直接実装させるようにしても良い。
【０２００】
　また、プリント基板９０６において、引きまわしの配線間に形成される容量や配線自体が有する抵抗等によって、電源電圧や信号にノイズがのったり、信号の立ち上がりが鈍ったりすることがある。そこで、プリント基板９０６にコンデンサ、バッファ等の各種素子を設けて、電源電圧や信号にノイズがのったり、信号の立ち上がりが鈍ったりするのを防ぐようにしても良い。
【０２０１】
　図２０（Ｂ）に、プリント基板９０６の構成をブロック図で示す。インターフェース９０８に供給された各種信号と電源電圧は、コントローラ９０１と、電源電圧９０２に供給される。
【０２０２】
　コントローラ９０１は、位相ロックドループ（PLL：Phase Locked Loop）９１０と、制御信号生成部９１１と、必要に応じてＡ／Ｄコンバータ９０９及びＳＲＡＭ（Static Random Access Memory）９１２、９１３とを備えている。なお、必要に応じて備えるとは、入力される信号がアナログ信号又はデジタル信号の場合や、パネルの画素構成がアナログ信号又はデジタル信号のいずれかにより制御させる場合によって適宜設けるためである。なお、ＳＲＡＭの代わりに、ＳＤＲＡＭや、高速でデータの書き込みや読み出しが可能であるならばＤＲＡＭ（Dynamic  Random  Access  Memory）も用いることが可能である。
【０２０３】
　インターフェース９０８を介して供給されたビデオ信号は、Ａ／Ｄコンバータ９０９においてパラレル−シリアル変換され、Ｒ、Ｇ、Ｂの各色に対応するビデオ信号として制御信号生成部９１１に入力される。また、インターフェース９０８を介して供給された各種信号をもとに、Ａ／Ｄコンバータ９０９においてＨｓｙｎｃ信号、Ｖｓｙｎｃ信号、クロック信号ＣＬＫ、交流電圧（AC Cont）が生成され、制御信号生成部９１１に入力される。
【０２０４】
　位相ロックドループ９１０では、インターフェース９０８を介して供給される各種信号の周波数と、制御信号生成部９１１の動作周波数の位相とを合わせる機能を有している。制御信号生成部９１１の動作周波数は、インターフェース９０８を介して供給された各種信号の周波数と必ずしも同じではないが、互いに同期するように制御信号生成部９１１の動作周波数を位相ロックドループ９１０において調整する。
【０２０５】
　制御信号生成部９１１に入力された信号がビデオ信号の場合、一旦ＳＲＡＭ９１２、９１３に書き込まれ、保持される。制御信号生成部９１１では、ＳＲＡＭ９１２に保持されている全ビットのビデオ信号のうち、全画素に対応するビデオ信号を１ビット分づつ読み出し、パネル９００の信号線駆動回路９０５に供給する。
【０２０６】
　また制御信号生成部９１１では、各ビットの、発光素子が発光する期間に関する情報を、パネル９００の走査線駆動回路９０４に供給する。
【０２０７】
　また電源回路９０２は所定の電源電圧を、パネル９００の信号線駆動回路９０５、走査線駆動回路９０４及び画素部９０３に供給する。
【０２０８】
　次に電源回路９０２の詳しい構成について、図２１を用いて説明する。本実施の形態の電源回路９０２は、四つのスイッチングレギュレータコントロール９６０を用いたスイッチングレギュレータ９５４と、シリーズレギュレータ９５５とからなる。
【０２０９】
　一般的にスイッチングレギュレータは、シリーズレギュレータに比べて小型、軽量であり、降圧だけでなく昇圧や正負反転することも可能である。一方シリーズレギュレータは、降圧のみに用いられるが、スイッチングレギュレータに比べて出力電圧の精度は良く、リプルやノイズはほとんど発生しない。本実施の形態の電源回路９０２では、両者を組み合わせて用いる。
【０２１０】
　図２１に示すスイッチングレギュレータ９５４は、スイッチングレギュレータコントロール（ＳＷＲ）９６０と、アテニュエイター（減衰器：ＡＴＴ）９６１と、トランス（Ｔ）９６２と、インダクター（Ｌ）９６３と、基準電源（Ｖｒｅｆ）９６４と、発振回路（ＯＳＣ）９６５、ダイオード９６６と、バイポーラトランジスタ９６７と、可変抵抗９６８と、容量９６９とを有している。
【０２１１】
　スイッチングレギュレータ９５４において外部のＬｉイオン電池（３．６Ｖ）等の電圧が変換されることで、陰極に与えられる電源電圧と、スイッチングレギュレータ９５４に供給される電源電圧が生成される。
【０２１２】
　またシリーズレギュレータ９５５は、バンドギャップ回路（ＢＧ）９７０と、アンプ９７１と、オペアンプ９７２と、電流源９７３と、可変抵抗９７４と、バイポーラトランジスタ９７５とを有し、スイッチングレギュレータ９５４において生成された電源電圧が供給されている。
【０２１３】
　シリーズレギュレータ９５５では、スイッチングレギュレータ９５４において生成された電源電圧を用い、バンドギャップ回路９７０において生成された一定の電圧に基づいて、各色の発光素子の陽極に電流を供給するための配線（電流供給線）に与える直流の電源電圧を生成する。
【０２１４】
　なお電流源９７３は、ビデオ信号の電流が画素に書き込まれる駆動方式の場合に用いる。この場合、電流源９７３において生成された電流は、パネル９００の信号線駆動回路９０５に供給される。なお、ビデオ信号の電圧が画素に書き込まれる駆動方式の場合には、電流源９７３は必ずしも設ける必要はない。
【０２１５】
　なお、スイッチングレギュレータ、ＯＳＣ、アンプ、オペアンプは、本発明の作製方法を用いて形成することが可能である。
【図面の簡単な説明】
【０２１６】
【図１】本発明の画素を示す図。
【図２】本発明の画素の回路図を示す図。
【図３】本発明の画素の回路図を示す図。
【図４】本発明の画素の回路図を示す図。
【図５】本発明の画素の回路図を示す図。
【図６】本発明の画素の回路図を示す図。
【図７】本発明の画素の回路図を示す図。
【図８】本発明の画素の回路図を示す図。
【図９】本発明の画素の回路図を示す図。
【図１０】本発明の画素の回路図を示す図。
【図１１】本発明の画素の回路図を示す図。
【図１２】本発明の画素の回路図を示す図。
【図１３】本発明の画素の回路図を示す図。
【図１４】本発明の画素の回路図を示す図。
【図１５】本発明の画素の回路図を示す図。
【図１６】本発明の画素のタイミングチャートを示す図。
【図１７】本発明の画素の上面図。
【図１８】画素の回路図を示す図。
【図１９】本発明の画素を用いた電子機器を示す図。
【図２０】本発明の画素を用いたモジュールを示す図。
【図２１】本発明の画素を用いたモジュールの電源回路を示す図。
【図２２】本発明の画素の回路図を示す図。
【図２３】本発明の画素の回路図を示す図。
【図２４】本発明の画素の回路図を示す図。
【図２５】本発明の画素の回路図を示す図。
【図２６】本発明の画素の回路図を示す図。
【図２７】本発明の画素の回路図を示す図。
【図１】
2004110015.tif 000003
【図２】
2004110015.tif 000004
【図３】
2004110015.tif 000005
【図４】
2004110015.tif 000006
【図５】
2004110015.tif 000007
【図６】
2004110015.tif 000008
【図７】
2004110015.tif 000009
【図８】
2004110015.tif 000010
【図９】
2004110015.tif 000011
【図１０】
2004110015.tif 000012
【図１１】
2004110015.tif 000013
【図１２】
2004110015.tif 000014
【図１３】
2004110015.tif 000015
【図１４】
2004110015.tif 000016
【図１５】
2004110015.tif 000017
【図１６】
2004110015.tif 000018
【図１７】
2004110015.tif 000019
【図１８】
2004110015.tif 000020
【図１９】
2004110015.tif 000021
【図２０】
2004110015.tif 000022
【図２１】
2004110015.tif 000023
【図２２】
2004110015.tif 000024
【図２３】
2004110015.tif 000025
【図２４】
2004110015.tif 000026
【図２５】
2004110015.tif 000027
【図２６】
2004110015.tif 000028
【図２７】
2004110015.tif 000029
【手続補正書】
【提出日】平成15年9月11日(2003.9.11)
【手続補正２】
【補正対象書類名】特許請求の範囲
【補正対象項目名】全文
【補正方法】変更
【補正の内容】
【特許請求の範囲】
【請求項１】
複数のトランジスタと、前記複数のトランジスタの接続を直列又は並列に切り替える手段と、前記複数のトランジスタを介して入力される第１の電流を電圧に変換する手段と、前記変換された電圧を保持する手段と、前記保持された電圧を第２の電流に変換する手段と、を有する電流源回路と、
前記変換された第２の電流を駆動対象に供給するか否かを制御するスイッチ手段と、
を有する表示装置であって、
前記スイッチ手段は、前記第２の電流を駆動対象に供給するか否かをデジタルビデオ信号に基づき制御される
ことを特徴とする表示装置。
【請求項２】
複数のトランジスタと、前記複数のトランジスタの接続を直列又は並列に切り替える手段と、前記複数のトランジスタを介して入力される第１の電流を電圧に変換する手段と、前記変換された電圧を保持する手段と、前記保持された電圧を第２の電流に変換する手段と、を有する電流源回路と、
前記変換された第２の電流を駆動対象に供給するか否かを制御するスイッチ手段と、
を有する表示装置であって、
前記スイッチ手段は、前記第２の電流を駆動対象に供給するか否かをデジタルビデオ信号に基づき制御され、
前記駆動対象に電流を供給するときには前記複数のトランジスタの接続を直列とし、
前記第１の電流を電圧に変換するときには前記複数のトランジスタの接続を並列とすることを特徴とする表示装置。
【請求項３】
第１トランジスタ及び第２トランジスタと、前記第１トランジスタ及び第２トランジスタのゲート電極に接続される容量素子と、を有する電流源回路と、
前記容量素子の一方に接続される電源線と、
前記容量素子の他方に接続される電流線と、
前記容量素子に保持される電荷を電流として駆動対象に供給するか否かを制御するスイッチ手段と、
を有する表示装置であって、
前記スイッチ手段は、前記電流を駆動対象に供給するか否かをデジタルビデオ信号に基づき制御される
ことを特徴とする表示装置。
【請求項４】
請求項３において、前記第１トランジスタ及び第２トランジスタはｐチャネル型の薄膜トランジスタからなることを特徴とする表示装置。
【請求項５】
請求項３又は４において、前記第１トランジスタ及び第２トランジスタは単結晶、ＳＯＩ又は有機トランジスタからなることを特徴とする表示装置。
【請求項６】
第１トランジスタ、第２トランジスタ及び第３トランジスタと、
前記第１トランジスタ、第２トランジスタ及び第３トランジスタのゲート電極に接続される容量素子と、を有する電流源回路と、
前記容量素子の一方に接続される電源線と、
前記容量素子の他方に接続される電流線と、
前記容量素子に保持される電荷を電流として駆動対象に供給するか否かを制御するスイッチ手段と、
を有する表示装置であって、
前記スイッチ手段は、前記電流を駆動対象に供給するか否かをデジタルビデオ信号に基づき制御される
ことを特徴とする表示装置。
【請求項７】
請求項６において、前記第１トランジスタ、第２トランジスタ及び第３トランジスタはｐチャネル型の薄膜トランジスタからなることを特徴とする表示装置。
【請求項８】
請求項６又は７において、前記第１トランジスタ、第２トランジスタ及び第３トランジスタは単結晶、ＳＯＩ又は有機トランジスタからなることを特徴とする表示装置。
【請求項９】
発光素子と、
複数のトランジスタと、前記複数のトランジスタの接続を直列又は並列に切り替える手段と、前記複数のトランジスタを介して入力される第１の電流を電圧に変換する手段と、前記変換された電圧を保持する手段と、前記保持された電圧を第２の電流に変換する手段と、を有する電流源回路と、
前記変換された第２の電流を発光素子に供給するか否かを制御するスイッチ手段と、
を有する表示装置であって、
前記スイッチ手段は、前記第２の電流を発光素子に供給するか否かをデジタルビデオ信号に基づき制御される
ことを特徴とする表示装置。
【請求項１０】
走査線と、
デジタルビデオ信号が入力される信号線と、
前記走査線及び前記信号線の交差位置に設けられた発光素子と、
複数のトランジスタと、前記複数のトランジスタの接続を直列又は並列に切り替える手段と、前記複数のトランジスタを介して入力される第１の電流を電圧に変換する手段と、前記変換された電圧を保持する手段と、前記保持された電圧を第２の電流に変換する手段と、を有する電流源回路と、
前記変換された第２の電流を発光素子に供給するか否かを制御するスイッチ手段と、
を有する表示装置であって、
前記スイッチ手段は、前記第２の電流を発光素子に供給するか否かをデジタルビデオ信号に基づき制御される
ことを特徴とする表示装置。
【請求項１１】
第１トランジスタ及び第２トランジスタと、前記第１トランジスタ及び第２トランジスタのゲート電極に接続される容量素子と、を有する電流源回路と、前記第２のトランジスタの一方の電極に接続される発光素子と、前記電流源回路からの電流を前記発光素子に供給するか否かをデジタルビデオ信号に基づき制御するスイッチ手段と、
を有する表示装置の駆動方法であって、
並列接続状態にある前記第１トランジスタ及び第２トランジスタに電流を供給することにより前記容量素子に電荷が保持され、
前記容量素子に保持された電荷に対応する電流を直列接続状態にある前記第１トランジスタ及び第２トランジスタを介し、前記スイッチ手段に基づいて前記発光素子へ供給することを特徴とする表示装置の駆動方法。
【請求項１２】
複数の走査線と、
デジタルビデオ信号が入力される複数の信号線と、
前記走査線及び前記信号線のそれぞれの交差位置に設けられた発光素子と、
前記発光素子へ電流を供給する電流源回路と、前記電流源回路からの電流を前記発光素子に供給するか否かをデジタルビデオ信号に基づき制御するスイッチ手段と、を有する表示装置の駆動方法であって、
前記信号線へ入力されるデジタルビデオ信号の同期タイミングに対応する単位フレーム期間はｍ（ｍは２以上の自然数）個のサブフレーム期間ＳＦ１、ＳＦ２、…、ＳＦｍを有し、前記ｍ個のサブフレーム期間ＳＦ１、ＳＦ２、…ＳＦｍの少なくとも一つは消去期間を有し、
前記消去期間において前記電流源回路へ設定動作を行うことを特徴とする表示装置の駆動方法。